(57)【特許請求の範囲】
【請求項１】
天井を貫通するように設置され、
天井側に、送風機と、この送風機からの空気を流入させる上チャンバを備え、
室内側に、前記送風機からの空気を噴流として吹出す２列の平行なノズルと、このノズルに対応してノズルに空気を供給する２列の下チャンバと、前記ノズルから吹出す空気に誘引されて空気を吹出す前記ノズルの間の誘引吹出し口と、前記送風機への空気を吸込む第１の吸込口と、前記誘引される空気を吸込む第２の吸込口とを備えた送風装置であって、
前記上チャンバと前記下チャンバの間に第１の連結風路と第２の連結風路を交互に複数設け、
前記上チャンバから前記第１の連結風路を経由して下チャンバ下端部に設けられた室内側のノズルから噴流として空気を吹出す主風路と、
第２の吸込口から第２の連結風路を経由し前記誘引吹出し口から前記ノズルの噴流に誘引された空気を吹出す誘引風路を構成したことを特徴とする送風装置。
【請求項２】
第１の吸込口とノズルが同じ室内にあることを特徴とした請求項１に記載の送風装置。
【請求項３】
２列のノズルの両外側かつ第２の連結風路の下方に２本の直管型光源を備え、この直管型光源の間の長手方向の一部に設けた第１の吸込口から主風路への空気が吸込まれ、前記直管型光源の短手方向外側に設けた第２の吸込口から誘引風路への空気が吸込まれる構成とした請求項２に記載の送風装置。
【請求項４】
直管型光源の長手方向の両端部に第１の吸込口を２つ設け、それぞれの第１の吸込口に対応する送風機を２つ備えた構成とした請求項３に記載の送風装置。
【請求項５】
第１の吸込口を直管型光源の長手方向の中央に備えた構成とした請求項３に記載の送風装置。
【請求項６】
天井を貫通するように設置され、
天井側に、送風機と、この送風機からの空気を流入させるダクトと、前記送風機用の屋外の空気を吸込む第１の吸込口を備え、
室内側に、前記送風機からの空気を噴流として吹出す２列の平行なノズルと、このノズルに対応してノズルに空気を供給する２列の下チャンバと、前記ノズルから吹出す空気に誘引される空気を吹出す誘引吹出し口と、前記誘引される空気を吸込む第２の吸込口を備え、
た送風装置であって、
前記ダクトと前記下チャンバの間に第１の連結風路と第２の連結風路を交互に複数設け、
前記ダクトから前記第１の連結風路を経由して下チャンバ下端部に設けられた室内側のノズルから噴流として空気を吹出す主風路と、
第２の吸込口から第２の連結風路を経由し前記誘引吹出し口から前記ノズルからの噴流に誘引された空気を吹出す誘引風路を構成したことを特徴とする送風装置。
【発明の詳細な説明】
【技術分野】
【０００１】
本発明は、天井に設置され、直接風による体感温度の減少や室内の空気の循環に使用される送風装置に関するものである。
【背景技術】
【０００２】
従来、この種の送風装置は、羽根を箱体で覆って薄型化した照明器具付き送風装置が知られている（例えば、特許文献１参照）。
【０００３】
以下、その送風装置について図８を参照しながら説明する。
【０００４】
図８に示すように、送風装置１０１は、その本体の天面１０２が天井１０３に面しており、本体の底面１０４は照明器本体１０５に面している。本体の側面１０６には、本体の天面１０２側に寄って全周のほぼ１／４に渡る吹出し口１０７を有するとともに、本体の底面１０４側に寄って残りのほぼ３／４に渡る吸込口１０８を有している。
【０００５】
本体の天面１０２と本体の底面１０４のほぼ中央にはベルマウス１０９が送風装置１０１を上下方向に２分するように設けられており、その２分された空間の本体の底面１０４側には、駆動モータ１１０がそのモータ回転軸１１１を本体の天面１０２側に向け本体の底面１０４にモータ取付ネジ１１２にて固着されている。ベルマウス１０９と本体の天面１０２の間にはエアーガイド１１３が設けられており、その中に遠心羽根車１１４がその吸込み側をベルマウス１０９側にしてモータ回転軸１１１に取付けられている。
【０００６】
上記構成により、駆動モータ１１０により遠心羽根車１１４が回転駆動され、これにより室内の中央部の空気が照明器本体の上方に位置する吸込口１０８に吸い込まれる。さらにベルマウス１０９を通り、遠心羽根車１１４により吸込み、吹出しが行われ、その外周部に位置するエアーガイド１１３により案内され、吹出し口１０７から吹出される。
【先行技術文献】
【特許文献】
【０００７】
【特許文献１】特開２００２−１３０１８６号公報
【発明の概要】
【発明が解決しようとする課題】
【０００８】
特許文献１の送風装置は、装置の構成上吹出す気流が主に天井と平行方向に吹出されるため、床方向への気流が弱く、送風装置から涼風感を得ることができないという課題があった。また、遠心羽根車と吹出し口が近接するため、室内側にある吹出し口と共に遠心羽根車も室内側にある必要があり、室内への張出しが大きく圧迫感を感じるという課題があった。
【０００９】
そこで本発明は、上記従来の課題を解決するものであり、室内への張出しを小さくして圧迫感を感じず、涼風感を得ることができる送風装置を提供することを目的とする。
【課題を解決するための手段】
【００１０】
そして、この目的を達成するために、本発明は、天井を貫通するように設置され、天井側に、送風機と、この送風機からの空気を流入させる上チャンバを備え、室内側に、前記送風機からの空気を噴流として吹出す２列の平行なノズルと、このノズルに対応してノズルに空気を供給する２列の下チャンバと、前記ノズルから吹出す空気に誘引されて空気を吹出す前記ノズルの間の誘引吹出し口と、前記送風機への空気を吸込む第１の吸込口と、前記誘引される空気を吸込む第２の吸込口とを備えた送風装置であって、前記上チャンバと前記下チャンバの間に第１の連結風路と第２の連結風路を交互に複数設け、前記上チャンバから前記第１の連結風路を経由して下チャンバ下端部に設けられた室内側のノズルから噴流として空気を吹出す主風路と、第２の吸込口から第２の連結風路を経由し前記誘引吹出し口から前記ノズルの噴流に誘引された空気を吹出す誘引風路を構成したことを特徴とする送風装置としたものであり、これにより所期の目的を達成するものである。
【発明の効果】
【００１１】
本発明によれば、誘引効果により、省エネルギで吹き出し空間へ大風量を送風でき、また送風機を天井裏に備えているので、室内への張出しが小さくなり、送風機から発生する運転音も小さく出来るので、サーキュレーション効果や涼風感が得られ、省エネで快適な空間を生成することができる。
【図面の簡単な説明】
【００１２】
【図１】本発明の実施の形態１の送風装置の室内側斜視図
【図２】同送風装置の天井側斜視図
【図３】同送風装置のＡ断面図
【図４】同送風装置のＢ断面図
【図５】本発明の実施の形態２の送風装置の室内側斜視図
【図６】本発明の実施の形態３の送風装置の室内側斜視図
【図７】同送風装置の天井側斜視図
【図８】従来技術の一例を示す側断面図
【発明を実施するための形態】
【００１３】
本発明の請求項１記載の送風装置は、天井を貫通するように設置され、天井側に、送風機と、この送風機からの空気を流入させる上チャンバを備え、室内側に、前記送風機からの空気を噴流として吹出す２列の平行なノズルと、このノズルに対応してノズルに空気を供給する２列の下チャンバと、前記ノズルから吹出す空気に誘引されて空気を吹出す前記ノズルの間の誘引吹出し口と、前記送風機への空気を吸込む第１の吸込口と、前記誘引される空気を吸込む第２の吸込口とを備えた送風装置であって、前記上チャンバと前記下チャンバの間に第１の連結風路と第２の連結風路を交互に複数設け、前記上チャンバから前記第１の連結風路を経由して下チャンバ下端部に設けられた室内側のノズルから噴流として空気を吹出す主風路と、第２の吸込口から第２の連結風路を経由し前記誘引吹出し口から前記ノズルの噴流に誘引された空気を吹出す誘引風路を構成したことを特徴とする送風装置である。
【００１４】
これにより、２列のノズルで挟んだ空間に強い誘引効果が発生し、ノズルの噴流発生に必要な小風量のエネルギーから、誘引効果により、吹き出し空間へ大風量送風できるエネルギーを発生でき、また送風機を天井裏に備えているので、室内への張出しを小さくでき、送風機から発生する運転音も小さく出来るので、サーキュレーション効果や涼風感を得るために、省エネで快適な空間を生成することができる。
【００１５】
また、第１の吸込口とノズルが同じ室内にあるものであり、室内の空気を循環する効果を持ち、省エネで快適な空間を生成するサーキュレータの役目を果たすことが出来る。
【００１６】
また、列のノズルの両外側かつ第２の連結風路の下方に２本の直管型光源を備え、この直管型光源の間の長手方向の一部に設けた第１の吸込口から主風路への空気が吸込まれ、前記直管型光源の短手方向外側に設けた第２の吸込口から誘引風路への空気が吸込まれる構成としたものであり、照明と一体化して構成を照明器具同等とすることで、照明が従来設置されている場所に、照明の機能を保持した状態で省エネで快適な空間を生成する送風装置を設置することができる。
【００１７】
また、直管型光源の長手方向の両端部に第１の吸込口を２つ設け、それぞれの第１の吸込口に対応する送風機を２つ備えた構成としたものであり、送風機を２つ搭載することで、室内で大きな風量を得ることができ、また送風機１つあたりの出力を押さえることで騒音も小さくすることができる。
【００１８】
また、第１の吸込口を直管型光源の長手方向の中央に備えたものであり、送風機が１つなのでシンプルな構造にでき、第１の吸込口を中央に備える事でノズルが直管光源長手方向に２つに分散しても、各ノズルへバランスよく空気を供給できるので長手方向の気流強さのムラを押させることが出来る。
【００１９】
また、天井を貫通するように設置され、天井側に、送風機と、この送風機からの空気を流入させる上チャンバを備え、室内側に、前記送風機からの空気を噴流として吹出す２列の平行なノズルと、このノズルに対応してノズルに空気を供給する２列の下チャンバと、前記ノズルから吹出す空気に誘引される空気を吹出す誘引吹出し口と、前記誘引される空気を吸込む第２の吸込口を備え、屋外に前記送風機用の空気を吸込む第１の吸込口を備えた送風装置であって、前記上チャンバと前記下チャンバの間に第１の連結風路と第２の連結風路を交互に複数設け、前記上チャンバから前記第１の連結風路を経由して下チャンバ下端部に設けられた室内側のノズルから噴流として空気を吹出す主風路と、第２の吸込口から第２の連結風路を経由し前記誘引吹出し口から前記ノズルからの噴流に誘引された空気を吹出す誘引風路を構成したものであり、屋外の新鮮な空気を対象室内に効率よく吹出す装置を備え、省エネで快適な空間を生成する換気扇の役目を果たすことが出来る。
【００２０】
以下、本発明の実施の形態について図面を参照しながら説明する。
【００２１】
（実施の形態１）
図１に本発明の実施の形態１の送風装置の室内側斜視図、図２に同送風装置の天井側斜視図、図３に同送風装置のＡ‐Ａ‘断面図、図４に同送風装置のＢ−Ｂ’断面図を示す。
【００２２】
まず、実施の形態１の構成について説明する。
【００２３】
本発明の実施の形態１の送風装置１は、図１、図２、図３、図４、に示すように、長さ１３００ｍｍ幅３００ｍｍ程度であって、開口を持つ天井２を貫通するように設置され、１０ｍｍ程度のフランジ部３で引掛けたりボルトを用いたりして固定される。
【００２４】
送風装置１は、上面となる天井側に、送風機７と、この送風機７からの空気を流入させる上チャンバ９を備え、室内側に、送風機７からの空気を噴流１４として吹出す２列の平行なノズル１０と、このノズル１０に対応して空気を供給する２列の下チャンバ１９と、ノズル１０から吹出す空気に誘引されて空気を吹出すノズル１０の間の誘引吹出し口２０と、送風機７への空気を吸込む第１の吸込口６と、前記誘引される空気を吸込む第２の吸込口１２とを備えたものであり、上チャンバ９と下チャンバ１９の間に第１の連結風路８と第２の連結風路１３を交互に複数設け、上チャンバ９から第１の連結風路８を経由して下チャンバ１９の下端部に設けられた室内側のノズル１０から噴流１４として空気を吹出す主風路５と、第２の吸込口１２から第２の連結風路１３を経由し誘引吹出し口２０から噴流１４に誘引された空気を吹出す誘引風路１１を構成したものであり、さらに２列のノズル１０の両外側かつ第２の連結風路１３の下方に２本の直管型光源４を備え、この直管型光源４の間の長手方向の一部に設けた第１の吸込口６から主風路５への空気が吸込まれ、直管型光源４の短手方向外側に設けた第２の吸込口１２から誘引風路１１への空気が吸込まれる構成としたものである。
【００２５】
この構成により、送風機７内部のファンモータが運転を始めると、送風効果により主風路５で気流が生成され、ノズル１０から噴流１４となって、室内側に空気を吹出す。噴流１４は高速のため動圧が高くなる代わりに静圧が下がるので、この負圧効果によって２つのノズル１０の間の空気が噴流に誘引され、ノズル１０を天井から離して誘引風路１１を確保することで周囲の空気を巻込む。
【００２６】
ここで、ノズル１０の噴流１４の風量は吹出し面積が小さいために小風量であるが、周囲の空気を誘引することで吹出し空間の風量を大きくすることができ、例えばノズルから１５００ｍｍ下流面を通過する風量は噴流１４の風量に対して２０倍程度となり、部屋全体を攪拌するサーキュレーション効果や涼風感を得るために効率の良い省エネ構成に出来る。
【００２７】
また、送風機が室内側にあると送風機音が直接聞こえ耳障りとなるが、送風機７を天井裏に備えることで、室内への張出しを小さくでき、天井により遮音されて室内で感じる騒音が小さくなる。
【００２８】
また、主風路５と誘引風路１１は、それぞれ同じ室内から空気を吸い込んで吐き出す構成となっているため、特に室内の空気を循環する効果を持ち、省エネで快適な空間を生成するサーキュレータの役目を果たすことが出来る。
【００２９】
また、直管型光源４を備え、この周りに無駄なスペース無く主風路５と誘引風路１１を構成しているため、照明と一体化して構成を照明器具同等とすることで、照明が従来設置されている場所に、照明の機能を保持した状態で省エネで快適な空間を生成する送風装置を設置することができる。
【００３０】
また、第１の吸込口６と送風機７を２つ備えているので、室内で大きな風量を得ることができ、また送風機１つあたりの出力を押さえることで騒音も小さくすることができる。
【００３１】
（実施の形態２）
実施の形態２において、実施の形態１と同様の構成要素については同一の符号を付し、その詳細な説明は省略する。
【００３２】
図５に本発明の実施の形態２の送風装置２１の室内側斜視図を示す。
【００３３】
実施の形態２の構成について説明する。
【００３４】
実施の形態２の送風装置２１は、第１の吸込口６を直管型光源４の長手方向の中央に備えた構成としたものであり、天井側には第１の吸込口６に対応する送風機と上チャンバを１つ備えて、上チャンバから第１の連結風路８を経由して下チャンバ１９の下端部に設けられた室内側のノズル１０から噴流１４として空気を吹出す主風路５を構成している。
【００３５】
この構成により、第１の吸込口６を直管型光源の長手方向の中央に備えているので、送風機が１つなのでシンプルな構造にでき、第１の吸込口を中央に備える事でノズルが直管光源長手方向に２つに分散しても、各ノズルへ送風するために必要なエネルギーが等しくなりバランスよく空気を供給できるので長手方向の気流強さのムラを押さえることが出来る。
【００３６】
（実施の形態３）
実施の形態３において、実施の形態１と同様の構成要素については同一の符号を付し、その詳細な説明は省略する。
【００３７】
図６に本発明の実施の形態３の送風装置の室内側斜視図を、図７に同送風装置の天井側斜視図を示す。
【００３８】
実施の形態３の構成について説明する。
【００３９】
実施の形態３の送風装置２５は、吹出し部と照明を含む本体２６と、分割して天井側に備えた外部送風機２７と、これらを接続するダクト２８を有している。本体２６は実施の形態２の送風装置２１の第１の吸込口６と送風機７を外部送風機２７として別体としたのであり、上チャンバ９の代わりにダクト２８を有し、外部送風機２７は第１の吸込口６を屋外に備えて屋外の空気を吸い込んで本体２６に送り込み、下チャンバ１９を経由してノズル１０から噴流１４を吹出す主風路５を形成する。
【００４０】
この構成により、室外の空気を吸い込んだ送風機から、新鮮な空気を対象室内に効率よく吹出して周りの空気を誘引しながら拡散するので、省エネで快適な空間を生成する換気扇の役目を果たすことが出来る。
【産業上の利用可能性】
【００４１】
本発明にかかる送風装置は、誘引効果により、省エネルギで吹き出し空間へ大風量を送風でき、また送風機を天井裏に備えているので、室内への張出しが小さくなり、送風機から発生する運転音も小さく出来るので、サーキュレーション効果や涼風感を提供できるため、省エネで快適な空間を生成する各種送風機器等として有用である。
【符号の説明】
【００４２】
１、２１、２５  送風装置
２      天井
３      フランジ部
４      直管型光源
５      主風路
６      第１の吸込口
７      送風機
８      第１の連結風路
９      上チャンバ
１０    ノズル
１１    誘引風路
１２    第２の吸込口
１３    第２の連結風路
１４    噴流
１９    下チャンバ
２０    誘引吹出し口
２６    本体
２７    外部送風機
２８    ダクト
１０１  送風装置
１０２  天面
１０３  天井
１０４  底面
１０５  照明器本体
１０６  側面
１０７  吹出し口
１０８  吸込口
１０９  ベルマウス
１１０  駆動モータ
１１１  モータ回転軸
１１２  モータ取付ネジ
１１３  エアーガイド
１１４  遠心羽根車
【図１】
0005786133.tif 000002
【図２】
0005786133.tif 000003
【図３】
0005786133.tif 000004
【図４】
0005786133.tif 000005
【図５】
0005786133.tif 000006
【図６】
0005786133.tif 000007
【図７】
0005786133.tif 000008
【図８】
0005786133.tif 000009